(57)【要約】【課題】室内壁面に取り付けられて非常時の避難に使用される非常用懐中電灯において、乾電池を用いることなく懐中電灯本体を点灯させることにより、定期的なメンテナンスを不要として労力及びコストの削減を図る手段を提供する。【解決手段】本非常用懐中電灯１は、室内壁面に固定される壁掛けホルダ２と、該壁掛けホルダ２に着脱可能に設けられ非常時に取り外されることで自動的に点灯する懐中電灯本体３とを備えてなり、壁掛けホルダ２にトリガー３７が突設される一方、懐中電灯本体３に、巻き上げられることで付勢力を蓄積し弛緩することで付勢力を放出するゼンマイ５と、該ゼンマイ５の付勢力で起動される発電機と、生じた電力が供給されて点灯する照明ランプ８と、ゼンマイ５が弛緩した状態でトリガー３７を挿通不能であってゼンマイ５が巻き上げられた状態でトリガー３７を挿通可能なトリガー挿通孔１５とが設けられたものである。【選択図】  図２
2007134198.tif 000002
【特許請求の範囲】
【請求項１】
建物の室内壁面に固定される壁掛けホルダと、該壁掛けホルダに着脱可能に設けられ非常時に前記壁掛けホルダから取り外されることで自動的に点灯する懐中電灯本体と、を備えてなる非常用懐中電灯において、
前記壁掛けホルダにトリガーが突設される一方、前記懐中電灯本体に、巻き上げられることで付勢力を蓄積し弛緩することで付勢力を放出するゼンマイと、該ゼンマイから放出された付勢力によって起動される発電機と、該発電機で生じた電力が供給されて点灯する照明ランプと、前記ゼンマイが弛緩した状態で前記トリガーを挿通不能であって前記ゼンマイが巻き上げられた状態で前記トリガーを挿通可能なトリガー挿通孔と、が設けられたことを特徴とする非常用懐中電灯。
【請求項２】
前記懐中電灯本体が、前記発電機で生じた電力のうち前記照明ランプへ供給されずに余剰した電力を充電するためのバッテリーと、前記照明ランプの点灯又は消灯を操作するための照明スイッチと、を更に備えることを特徴とする請求項１記載の非常用懐中電灯。
【発明の詳細な説明】
【技術分野】
【０００１】
本発明は、室内の壁面に取り付けられ、災害発生時等の非常時に暗闇の中を避難するために使用される非常用懐中電灯に関し、特に、ゼンマイの付勢力で発電する非常用懐中電灯に関する。
【背景技術】
【０００２】
ホテルや旅館等の建物或いは住宅の寝室等には、災害発生時等の非常時に暗闇の中を安全に避難できるよう、非常用の懐中電灯が壁面に設置される場合がある（特許文献１参照）。この非常用懐中電灯は、壁面に固定される壁掛けホルダと、該壁掛けホルダに着脱可能な乾電池式の懐中電灯本体とを備えるものであって、懐中電灯本体は、平時は消灯した状態で壁掛けホルダに装着されているが、非常時に壁掛けホルダから取り外されると、内部の乾電池と照明ランプとが導通されて自動的に点灯するものとなっている。
【０００３】
【特許文献１】特開２００５−２８５７３０号公報
【発明の開示】
【発明が解決しようとする課題】
【０００４】
しかし、従来の非常用懐中電灯は、長期間に渡って放置される間に乾電池が徐々に自然放電して電池切れ状態となったり、乾電池から液漏れが発生する等して肝心の非常時に役に立たない場合がある。従って、このような事態を回避するためには、非常用懐中電灯を定期的に点検して電池切れや液漏れが発生していないかを確認し、問題が発生している場合には新品の乾電池と交換する必要ある。これにより、メンテナンスに多大な労力とコストを要するとともに、電池の入れ忘れという人為的なミスによって非常時に作動不全が生じるという問題があった。
【０００５】
このような問題を防止すべく、手動巻き発電式の非常用懐中電灯が近年用いられている。この非常用懐中電灯は、ハンドルを手動で回転させることで電力を発生させる発電機と、該発電機で生じた電力を充電するためのバッテリーと、該バッテリーから電力を供給されて点灯する照明ランプとを備えるものである。このような構成により、非常時にハンドルを回すことによって非常用懐中電灯を点灯させることができ、乾電池を使用しないため定期的な点検を行って電池切れや液漏れをチェックする必要がなく、また電池交換も不要となっている。しかし、この非常用懐中電灯は、避難に必要な所定時間だけ点灯させるために略１０分間ハンドルを回し続けなければならず、一刻も早い避難が必要とされる災害発生時等における使用には適していない、という問題がある。
【０００６】
本発明は、このような問題に鑑みてなされたものであり、室内の壁面に取り付けられて非常時の避難に使用される非常用懐中電灯において、乾電池を用いることなくゼンマイの付勢力で懐中電灯本体を点灯させることにより、定期的なメンテナンスを不要として労力及びコストの削減を図る手段を提供する。
【課題を解決するための手段】
【０００７】
上記目的を達成するための請求項１記載の非常用懐中電灯は、建物の室内壁面に固定される壁掛けホルダと、該壁掛けホルダに着脱可能に設けられ非常時に前記壁掛けホルダから取り外されることで自動的に点灯する懐中電灯本体と、を備えてなる非常用懐中電灯において、前記壁掛けホルダにトリガーが突設される一方、前記懐中電灯本体に、巻き上げられることで付勢力を蓄積し弛緩することで付勢力を放出するゼンマイと、該ゼンマイから放出された付勢力によって起動される発電機と、該発電機で生じた電力が供給されて点灯する照明ランプと、前記ゼンマイが弛緩した状態で前記トリガーを挿通不能であって前記ゼンマイが巻き上げられた状態で前記トリガーを挿通可能なトリガー挿通孔と、が設けられたことを特徴とする非常用懐中電灯。
【０００８】
請求項２記載の非常用懐中電灯は、前記懐中電灯本体が、前記発電機で生じた電力のうち前記照明ランプへ供給されずに余剰した電力を充電するためのバッテリーと、前記照明ランプの点灯又は消灯を操作するための照明スイッチと、を更に備えるものである。
【発明の効果】
【０００９】
本発明に係る非常用懐中電灯によれば、ゼンマイが弛緩した状態では、壁掛けホルダのトリガーを懐中電灯本体のトリガー挿通孔からその内部へ挿入することができないため、懐中電灯本体を壁掛けホルダに装着することができない。このように、ゼンマイが巻き上げられた状態でないとトリガーをケーシングの内部へ挿入不能としたことにより、ゼンマイの巻き忘れという人為的なミスによって非常時に作動不全が発生するのを未然に防止することができる。
【００１０】
また、本発明に係る非常用懐中電灯によれば、乾電池を用いることなく、ゼンマイの付勢力によって発電機を起動して照明ランプを点灯させるので、自然放電による電池切れや乾電池からの液漏れが生じていないかを定期的に点検する必要がなく、また、乾電池を交換する必要もない。これにより、メンテナンスに要する手間とコストを削減することができる。
【００１１】
本発明に係る非常用懐中電灯によれば、必要に応じて照明スイッチをＯＮ／ＯＦＦすることにより、懐中電灯本体を壁掛けホルダから取り外した際にゼンマイから放出される付勢力によってバッテリーに充電された電力が無駄に放出されることがなく、より長時間に渡って懐中電灯本体を使用することができる。
【発明を実施するための最良の形態】
【００１２】
以下、本発明の実施例に係る非常用懐中電灯について図面に基づいて説明する。図１は、本実施例に係る非常用懐中電灯１の外観を示す概略斜視図である。非常用懐中電灯１は、建物の室内壁面（不図示）に固定される壁掛けホルダ２と、該壁掛けホルダ２に着脱可能に取り付けられる懐中電灯本体３と、を備えてなるものである。
【００１３】
図２及び図３は非常用懐中電灯１の内部構造を示す概略斜視図であり、図２は懐中電灯本体３を壁掛けホルダ２から取り外した状態、図３は懐中電灯本体３を壁掛けホルダ２に装着した状態をそれぞれ示している。懐中電灯本体３は、図１乃至図３に示すように、樹脂等からなるケーシング４の内部に、渦巻状のゼンマイ５と、該ゼンマイ５に対してギア６を介して噛合されたフライホイール７と、該フライホイール７の回転駆動力が伝達されて起動する図示しない発電機と、該発電機と電気的に接続されて発電機で生じた電力を充電する図示しないバッテリーと、該バッテリーと電気的に接続されたＬＥＤランプ（照明ランプ）８と、ゼンマイ５を巻き上げるためのゼンマイ巻き具９と、発電機を起動し又は停止させるための起動スイッチ機構１０と、ゼンマイ５の巻き忘れを防止するための巻き忘れ防止機構１１と、が収容されてなるものである。
【００１４】
図４は、懐中電灯本体３を構成するケーシング４の背面側を示す概略斜視図である。図１及び図４に示すように、ケーシング４は樹脂等からなる筐体であって、使用者が把持するための把持部１２と、ＬＥＤランプ８から発せられた光を透過するための透明カバー部１３とを備えている。このケーシング４には、その背面に内部を点検するための点検蓋１４が開閉可能に設けられるとともに、その底面を貫通してトリガー挿通孔１５が形成されている。また、図１に示すように、把持部１２には、ＬＥＤランプ８の点灯／消灯を切り替えるための照明スイッチ１６が配設されている。
【００１５】
ゼンマイ巻き具９は、図１及び図２に示すように、ゼンマイ５の中心軸１７に噛合されたギア６と、該ギア６に一端が固定され他端がケーシング４を貫通して外部へ突出された固定軸１８と、該固定軸１８の他端に固定された基片１９と、該基片１９に対して揺動可能に設けられた操作取っ手２０と、を備えるものである。このような構成によれば、使用者が操作取っ手２０を摘んで固定軸１８を中心として回転させると、固定軸１８に固定されたギア６が回転し、該ギア６に噛合された中心軸１７が回転することにより、ゼンマイ５が巻き上げられるものとなっている。また、ゼンマイ５を巻き終えた後は、図に詳細は示さないが、操作取っ手２０を基片１９に対して略９０°の角度をなすように倒して、ケーシング４前面に形成された凹欠部２１の内部に収納することにより、懐中電灯本体３を壁掛けホルダ２に装着する際に操作取っ手２０が壁掛けホルダ２に干渉しないようになっている。
【００１６】
起動スイッチ機構１０は、図２及び図３に示すように、基部を支点に回動可能に設けられたトリガー検出器２２と、フライホイール７の周面に密着してその回転を禁止し又は周面から離間してその回転を許容するブレーキシュー２３と、トリガー検出器２２とブレーキシュー２３とを連結する連結リンク２４と、を具備するものである。このような構成によれば、トリガー検出器２２の回動が、連結リンク２４によって運動方向が変換されつつブレーキシュー２３に伝達されることにより、ブレーキシュー２３がフライホイール７の周面に密着又は離間するものとなっている。
【００１７】
巻き忘れ防止機構１１は、ゼンマイ５の巻き上げ又は弛緩に連動するゼンマイ連動リンク２５と、トリガー挿通孔１５を覆い又は露呈させる可動フタ２６と、を具備するものである。可動フタ２６は、図２に示すように、長尺な平板状の部材であって、その一端側がトリガー挿通孔１５より大きい卵形に形成される一方、他端側が略矩形に形成されるとともにリンク挿通穴２７が貫通形成されている。このように構成される可動フタ２６が、ケーシング４の底面に突設された支軸２８によって回転可能に支持されている。また、可動フタ２６の支軸２８を挟んでトリガー挿通孔１５側の部分には、一端がケーシング４に固定された付勢バネ２９の他端が固定されている。これにより、可動フタ２６は、外力が作用しない時は、付勢バネ２９の付勢力を受けて回動し図示しない位置決めリブに当接することによって、トリガー挿通孔１５を覆い隠した状態で保持される。
【００１８】
一方、ゼンマイ連動リンク２５は、図２に示すように、長尺な棒状の部材であって、その一端側が曲折されてゼンマイ５に当接させるためのゼンマイ当接部３０が形成される一方、他端側に可動フタ２６を押圧するためのフタ押圧部３１が形成されている。このゼンマイ連動リンク２５が、ケーシング４の背面に突設された支軸３２によって回転可能に支持されている。また、ゼンマイ連動リンク２５は、支軸３２よりフタ押圧部３１側に、一端がケーシング４に固定された付勢バネ３３の他端が固定されることにより、フタ押圧部３１側を下降させる方向に付勢されている。このような構成により、ゼンマイ連動リンク２５は、ゼンマイ５が巻き上げられて径が小さくなる時は、付勢バネ３３の付勢力によって、ゼンマイ当接部３０をゼンマイ５に追従させるようにすなわちゼンマイ当接部３０を上昇させるように回動する。これにより、フタ押圧部３１が下降して可動フタ２６を押圧することにより回動させる。一方、ゼンマイ５が弛緩して径が大きくなる時は、ゼンマイ連動リンク２５は、ゼンマイ当接部３０がゼンマイ５から押圧力を受けることにより、付勢バネ３３の付勢力に抗してゼンマイ当接部３０を下降させるように回動する。これにより、フタ押圧部３１が上昇して可動フタ２６から離間する。
【００１９】
図５は、ゼンマイ連動リンク２５が可動フタ２６を押圧して回動させる様子をより詳細に説明するための図であり、図２におけるＡ−Ａ断面を示している。図５に示すように、可動フタ２６のリンク挿通穴２７はその一端側が傾斜した案内面３４とされる一方、フタ押圧部３１における案内面３４に接触する部位が円弧状に形成されている。これにより、ゼンマイ連動リンク２５が回動してフタ押圧部３１が下降すると、図５（ａ）に示すように、フタ押圧部３１の円弧状の部分が可動フタ２６の案内面３４に接触した後、図５（ｂ）に示すように、円弧状部分が案内面３４に案内されるようにしてフタ押圧部３１が更に下降することにより、フタ押圧部３１から押圧力を受けた可動フタ２６は、前記付勢バネ２９の付勢力に抗して図５において右方向へ移動する。また、図５（ｂ）の状態からゼンマイ連動リンク２５が回動してフタ押圧部３１が上昇すると、図５（ｃ）に示すように、フタ押圧部３１の押圧力から解放された可動フタ２６は、付勢バネ２９の付勢力によって左方向へ移動する。このようにして、ゼンマイ連動リンク２５の回動に連動して可動フタ２６が回動するものとなっている。
【００２０】
前記壁掛けホルダ２は、懐中電灯本体３を壁面（不図示）に取り付けるためのものである。この壁掛けホルダ２は、図１に示すように、上部が開口された筐体であって、その背面２ａを壁面に密着させた状態で、背面２ａに形成されたビス挿通孔３５を通して図示しないビスで固定される。また、壁掛けホルダ２の前面２ｂには、懐中電灯本体３の装着時にその把持部１２との干渉を回避するための切り欠き３６が形成されている。更に、壁掛けホルダ２の底部内側には、懐中電灯本体３のトリガー挿通孔１５に対応する位置に所定高さのトリガー３７が突設されている。
【００２１】
以上のように構成される非常用懐中電灯１は、非常時以外の平時においては、懐中電灯本体３が壁掛けホルダ２に装着された状態となっている。すなわち、図１に示すように、懐中電灯本体３は、その内部のゼンマイ５がゼンマイ巻き具９によって完全に巻き上げられた状態で、その底部側から壁掛けホルダ２の内部へ差し入れられる。この時、壁掛けホルダ２のトリガー３７が懐中電灯本体３のトリガー挿通孔１５からその内部へ挿入され、トリガー検出器２２を押し上げることにより、トリガー検出器２２がその基端部を支点として回動する。このトリガー検出器２２の回動が、連結リンク２４を介してブレーキシュー２３に伝達されることにより、ブレーキシュー２３がフライホイール７の周面に密着してその回転を禁止する。これにより、ギア６を介してフライホイール７に噛合されたゼンマイ５は弛緩することができず、巻き上げられた状態で保持される。
【００２２】
ここで、トリガー３７は、ゼンマイ５が完全に巻き上げられた状態においてのみ、トリガー挿通孔１５からケーシング４の内部へ挿入できるようになっている。より詳細に説明すると、ゼンマイ５が完全に巻き上げられていない状態では、ゼンマイ５が弛緩してケーシング４内で大きく広がるため、ゼンマイ連動リンク２５は、ゼンマイ当接部３０がゼンマイ５によって押圧されることによって、付勢バネ３３の付勢力に抗してゼンマイ当接部３０側を下降させるように回動する。これにより、ゼンマイ連動リンク２５のフタ押圧部３１が上昇して可動フタ２６から離間した状態となり、可動フタ２６は付勢バネ２９の付勢力を受けてトリガー挿通孔１５を覆い隠した状態で保持される。従って、トリガー３７をケーシング４内に挿入することができない。一方、ゼンマイ５が完全に巻き上げられた状態では、ゼンマイ５がケーシング４内で縮小し、ゼンマイ連動リンク２５は、付勢バネ３３の付勢力を受けてゼンマイ５の縮小に追従するようにすなわちゼンマイ当接部３０を上昇させるように回動する。これにより、ゼンマイ連動リンク２５のフタ押圧部３１が下降して可動フタ２６のリンク挿通穴２７に挿通される。この時、フタ押圧部３１から押圧力を受けた可動フタ２６は、図３に示すように反時計廻りに回動し、トリガー挿通孔１５が露呈する。これにより、トリガー３７をケーシング４内に挿入することが可能となる。このように、ゼンマイ５が完全に巻き上げられていない状態では、懐中電灯本体３を壁掛けホルダ２に装着しようとしても、壁掛けホルダ２のトリガー３７を懐中電灯本体３のトリガー挿通孔１５に挿入することができないため、懐中電灯本体３を壁掛けホルダ２に装着することができない。これにより、ゼンマイ５の巻き忘れという人為的なミスによって非常時に作動不全が生じるのを未然に防止することができる。
【００２３】
一方、非常時に懐中電灯本体３を壁掛けホルダ２から取り外すと、壁掛けホルダ２のトリガー３７が懐中電灯本体３のケーシング４内部から引き抜かれることにより、トリガー検出器２２が、トリガー３７の押し上げ力から解放されて図２に示す状態へと復帰する。このトリガー検出器２２の回動が連結リンク２４を介してブレーキシュー２３に伝達され、ブレーキシュー２３がフライホイール７の周面から離間することで、フライホイール７は回転可能な状態となる。これにより、ギア６を介してフライホイール７に噛合されたゼンマイ５は、ブレーキシュー２３の保持力から解放されて弛緩し、ケーシング４内で大きく広がる。この時、ゼンマイ５に蓄積されていた付勢力が放出されてゼンマイ５の中心軸１７が回転駆動され、この回転駆動力がフライホイール７を介して発電機に伝達されることにより発電機が起動する。この発電機で生じた電力は、バッテリーへ送られて充電されるとともに、該バッテリーからＬＥＤランプ８に電力が供給されることでＬＥＤランプ８が点灯するものとなっている。これにより、懐中電灯本体３を壁掛けホルダ２から取り外すと同時にＬＥＤランプ８が点灯し、即座に懐中電灯本体３を使用することができる。また、必要に応じて図１に示す照明スイッチ１６をＯＦＦしてＬＥＤランプ８を消灯することにより、電力消費を節約してより長時間に渡って懐中電灯本体３を使用することができる。また、バッテリーの充電が切れた場合には、ゼンマイ巻き具９を使用してゼンマイ５を巻き上げた状態から手を離してゼンマイ５を解放すれば、発電機が起動されてバッテリーが充電され、懐中電灯本体３を使用可能な状態とすることができる。尚、ゼンマイ巻き具９と照明スイッチ１６を適宜使用すれば、非常時以外にも懐中電灯本体３を使用することが可能である。
【００２４】
尚、本実施例では、本発明に係る照明ランプとして消費電力の少ないＬＥＤランプ８を用いたが、これに限られず任意の照明装置を用いることがもちろん可能である。また、本実施例では発電機とＬＥＤランプ８との間にバッテリーを介在させたが、このバッテリーは本発明に必須の構成要件ではなく、発電機からＬＥＤランプ８に直接電力を供給することも可能である。しかし、本実施例のように発電機で生じた電力のうちＬＥＤランプ８へ供給されることなく余剰した電力をバッテリーに充電しておき、必要に応じて照明スイッチ１６を操作してＬＥＤランプ８を消灯／点灯させた方が、ゼンマイ５から放出された付勢力を利用して懐中電灯本体３をより長時間に渡って使用することができるという利点がある。
【産業上の利用可能性】
【００２５】
本発明は、照明ランプを備えた懐中電灯以外に、ホルダから取り外すと同時に警報音を発する防犯装置等にも適用可能である。
【図面の簡単な説明】
【００２６】
【図１】本発明の実施例に係る非常用懐中電灯１の外観を示す概略斜視図。
【図２】本発明の実施例に係る非常用懐中電灯１の内部構造を示す概略斜視図であり、懐中電灯本体３を壁掛けホルダ２から取り外した状態を示す図。
【図３】本発明の実施例に係る非常用懐中電灯１の内部構造を示す概略斜視図であり、懐中電灯本体３を壁掛けホルダ２に装着した状態を示す図。
【図４】懐中電灯本体３を構成するケーシング４の背面側を示す概略斜視図
【図５】図２におけるＡ−Ａ断面を示す概略縦断面図。
【符号の説明】
【００２７】
１  非常用懐中電灯
２  壁掛けホルダ
３  懐中電灯本体
５  ゼンマイ
８  照明ランプ
１５  トリガー挿通孔
１６  照明スイッチ
３７  トリガー
【図１】
2007134198.tif 000003
【図２】
2007134198.tif 000004
【図３】
2007134198.tif 000005
【図４】
2007134198.tif 000006
【図５】
2007134198.tif 000007